(57)【要約】【課題】  マニュアルで空調を操作する形式であっても複数の機能を集約させることができ且つドライバーに対する操作性にも優れたスイッチ機構を提供する。【解決手段】  マニュアルタイプのスイッチ機構１、３について、ダイヤル部品４とこのダイヤル部品４に外挿されて一体に回動すると共に外周側面にギア歯５ａが形成された第１のギア５と円弧周面にギア歯６ａが形成されその反対側で共に他方において空調ドアとワイヤー２０で結線されてこの空調ドアを駆動する第２のギア６とを少なくとも備え、第１のギア５から中継部品７を介してダイヤル部品４の回転が第２のギア６に伝達されるダイヤル式の機構とすると共に、ダイヤル部品４を両側が開口した筒状体とし、ダイヤル部品４内に、ダイヤル部品４の軸方向にスライド可能に収容されて底部側にプッシュ部１１を有するスライド部品８と、プッシュ部１１と接するスイッチ部１０を有する基板９とを少なくとも備えたプッシュ式スイッチの機構も組み込む。【選択図】  図３
2005190733.tif 000002
【特許請求の範囲】
【請求項１】
回転操作が可能なダイヤル部品と、このダイヤル部品に外挿されて前記ダイヤル部品と一体に回動すると共に外周側面に所定数の歯が形成された第１のギアと、所定数の歯が形成されると共に被駆動部材と結線されてこの被駆動部材を駆動する第２のギアとを少なくとも備え、前記第１のギアから中継部品を介して前記ダイヤル部品の回転が前記第２のギアに伝達されるダイヤル式スイッチの機構を有することを特徴とするスイッチ機構。
【請求項２】
前記ダイヤル部品を両側が開口した筒状体とし、このダイヤル部品内に対し、当該ダイヤル部品の軸方向にスライド可能に収容されて底部側にプッシュ部を有するスライド部品と、前記プッシュ部と接するスイッチ部を有する基板とを少なくとも備えたプッシュ式スイッチの機構が組み込まれていることを特徴とする請求項１に記載のスイッチ機構。
【請求項３】
前記スライド部品の中に点灯表示用部材が収容されていることを特徴とする請求項２に記載のスイッチ機構。
【発明の詳細な説明】
【技術分野】
【０００１】
この発明は、本発明は、マニュアルで空調装置、特に車両用空調装置の空調をコントロールするためのスイッチ機構の構造に関するものである。
【背景技術】
【０００２】
車両用空調装置において、ケーブル駆動式のスイッチ機構では、スライド式のものとつまみ型のものとが公知になっている（例えば、特許文献１及び２を参照）。そして、操作性が良く運転する際に安全であるとの理由からスライド式よりもつまみ型のスイッチ機構の方が主流になってきている（例えば、特許文献３を参照）。
【特許文献１】特開２００３−５４２４５号公報
【特許文献２】特開２００２−１７２９２５号公報
【特許文献３】特開２００２−４１１６４号公報
【発明の開示】
【発明が解決しようとする課題】
【０００３】
しかしながら、スライド式及びつまみ型のスイッチ機構の構造では、スイッチ本体の中にプッシュ式スイッチの機構を組み込むことができないので、このスイッチ機構の周辺に改めてプッシュ式スイッチの機構を追加する必要があった。このため、スイッチがバラバラに配置されることとなっていた。
【０００４】
また、つまみ型のスイッチ機構では、ドライバーが当該スイッチのつまみ部を持って回転させる際に、相対的に大きくひねらなければならず、手首や腕を回す角度に無理が生ずる場合があり、操作時の姿勢が悪くなることから、操作性が悪く、ドライバーにとって操作時における安全性を必ずしも十分に確保できないという不都合もあった。
【０００５】
そこで、本発明は、マニュアルで空調を操作する形式であっても、複数の機能を集約させることができ、且つドライバーに対する操作性にも優れたスイッチ機構を提供することを目的とするものである。
【課題を解決するための手段】
【０００６】
本発明に係るスイッチ機構は、回転操作が可能なダイヤル部品と、このダイヤル部品に外挿されて前記ダイヤル部品と一体に回動すると共に外周側面に所定数の歯が形成された第１のギアと、所定数の歯が形成されると共に被駆動部材と結線されてこの被駆動部材を駆動する第２のギアとを少なくとも備え、前記第１のギアから中継部品を介して前記ダイヤル部品の回転が前記第２のギアに伝達されるダイヤル式スイッチの機構を有することを特徴としている（請求項１）。ここで、被駆動部材としては、空調ドア、更に詳しくは、吹出モード切換ドアやエアミックスドアが例示される。第２のギアは、例えば、円弧周面に所定数の歯が形成された扇状をなしている。また、第２のギアと空調ドア（吹出モード切替ドア・エアミックスドア）とは、例えば、ケーブルで結線されて、当該空調ドアの開閉を行うマニュアルのケーブル駆動式としている。
【０００７】
そして、本発明に係るスイッチ機構は、前記ダイヤル部品を両側が開口した筒状体とし、このダイヤル部品内に対し、当該ダイヤル部品の軸方向にスライド可能に収容されて底部側にプッシュ部を有するスライド部品と、前記プッシュ部と接するスイッチ部を有する基板とを少なくとも備えたプッシュ式スイッチの機構が組み込まれていることを特徴としている（請求項２）。
【０００８】
さらに、本発明に係るスイッチ機構は、前記スライド部品の中に点灯表示用部材が収容されていることを特徴としている（請求項３）。
【発明の効果】
【０００９】
よって、請求項１に記載の発明によれば、指先を使って回すのみで操作が可能なダイヤル式スイッチの機構を採用するので、腕を大きくずらす必要のあるスライド式スイッチ及び、手首や上腕部をひねる必要があるつまみ型スイッチからなるスイッチ機構に比し、操作の際に姿勢がくずれることがなく、操作性に優れ、ドライバーが運転する際により一層安全性を確保することができる。
【００１０】
また、請求項１に記載の発明によれば、ダイヤル式スイッチの機構を採用した上で、ダイヤル部品に外挿される第１のギアにギア歯を形成して、ダイヤル部品の回転を空調ドアに伝達するための中継部品について、ダイヤル部品の外側にオフセット配置したことにより、ダイヤル部品を両側が開口した中空の筒状とすることが可能である。これに伴い、請求項２の発明として、ダイヤル部品の円筒状の空間内にプッシュ式スイッチの機構を構成するスライド部品を収容することも可能となり、空調機能を各スイッチ機構に集約させることができる。更にまた、このスライド部品も内部に空洞部を有することで、請求項３の発明として、内部に点灯表示用部材を収容することができる。よって、操作装置に対しスイッチ機構や点灯表示用部材が占める割合を減少することができるので、操作装置のパネル上のレイアウト設計の自由度が高まる。
【発明を実施するための最良の形態】
【００１１】
以下、この発明の実施形態を図面により説明する。
【００１２】
図１から図９において、例えば車両用空調装置の制御を行うための操作装置の一部を構成するスイッチ機構１、２、３が示されている。スイッチ機構１は、吹出モードをデフロストモード、デフフットモード、フットモード、バイレベルモード、ベントモード、オートモードに設定すると共に外気導入モードと内気導入モードとに切り換えるものである。また、スイッチ機構２は、送風能力を切り替えると共に送風機のＯＮ／ＯＦＦを行うものである。更に、スイッチ機構３は、車室内の設定温度を切り替えると共に自動で空調制御を行うＡＵＴＯ制御のＯＮ／ＯＦＦを行うものである。
【００１３】
そして、スイッチ機構１、３は、マニュアルタイプのもので、特に図３及び図６に示されるように、ダイヤル式スイッチの機構を構成するダイヤル部品４、第１のギア５、第２のギア６及び中継部品７と、プッシュスイッチの機構を構成するスライド部品８、基板９とを有しており、第２のギア６を除いて基本的にパネル１５とケース１６との間に配置されている。
【００１４】
このうち、ダイヤル部品４は、図３に示される様に、両側が開口した筒状体であり、スライド部品８が挿通可能となっていると共に、一方の開口端近傍部位のうちパネル１５の孔１５ａから突出する部位には、指等でつまんで回転し易くするために、凹凸面４ａが環状に形成されている。そして、ダイヤル部品４の他方の開口端近傍部位は、第１のギア５と嵌合するための嵌合孔４ｂが径方向に突出形成されていると共に、軸方向に沿って延びる切欠き４ｃを有する。
【００１５】
また、スライド部品８は、吹出モード又は設定温度切替等に関する表示が図１に示すように記載された表示部品８ａと、基板９上のスイッチ１０をＯＮ／ＯＦＦするためのプッシュ部１１を有する基部部品８ｂとの２部品で構成されているもので、前記ダイヤル部品４内をその軸方向に沿って正逆両方向にスライド動作することが可能である。
【００１６】
スライド部品８は、この実施形態では、一方側が開放されたカップ状の表示部品８ａに、一方が開放されたカップ状の基礎部品８ｂを、各々開口部側が対峙した位置から挿嵌させることで、図５、図９に示されるように、内部に空洞部２４を有するものとして組み付けられる。また、基部部品８ｂは、図３及び図５に示される様に、ケース１６に形成された孔１８及びこの孔１８の周縁から立設した筒状の突起部１９内に収容可能な外径寸法を有する。
【００１７】
更に、第１のギア５は、ダイヤル部品４の外周面側に嵌合されるもので、両側が開口した筒状体をなし、ダイヤル部品側の開口端近傍部位は、ダイヤル部品４の嵌合孔４ｂと嵌合するための突起部５ａを有し、反ダイヤル部品側の開口端近傍部位は、所定数のギア歯５ｂが環状に形成されている。そして、この第１のギア５の開口部の内径寸法は、スライド部品８がスライド可能に挿通し、かつケース１６の突起部１９に外挿するように、当該スライド部品８の外径寸法及び突起部１９の外径寸法よりも大きく採られている。突起部１９は、例えば図９に示される様に、開口端部位において内側に向けて鍵爪１９ａが形成されており、基部部材８ｂに対し回転可能な状態で係合することができる。
【００１８】
更にまた、第２のギア６は、上面から見て扇状を成すもので、その円弧周面に所定数のギア歯６ａが形成されていると共に、円弧周面と反対側に位置する基部側に回転軸部６ｂが突出形成され、この回転軸部６ｂを図２（ａ）に示すケース１６に形成の孔１７に挿着することにより、回動可能となっている。そして、第２のギア６のうち第１のスイッチ機構を構成するものは、円弧周面側に連結されたワイヤー２０を介して吹出モード切換ドア（図示せず）にその回転を伝達し、第２のギア６のうち第３のスイッチ機構を構成するものは、円弧周面側に連結されたワイヤー２０を介してエアミックスドア（図示せず）にその回転を伝達する。
【００１９】
そして、中継部品７は、略軸棒状を成すもので、その一方端側には第１のギア５のギア歯５ｂと噛み合うギア７ａが形成されると共にその他方端側には第２のギア６のギア歯６ａと噛み合うギア７ｂが形成されており、これによって第１のギア５の回転を第２のギア６に伝達することを可能としている。そして、この中継部品７は、使用時には、ケース１６に形成された孔２１に回転可能に挿着され、ギア７ｂがケース１６の反対側に突出した状態となる。
【００２０】
これに対し、スイッチ機構２は、オートコントロールタイプのものであるが、その構成に用いられる部品は、図３に示されるように、ダイヤル式スイッチを構成するダイヤル部品４、第１のギア５、及び第３のギア１３及びプッシュスイッチを構成するスライド部品８であり、多くの部品４、５、８をスイッチ機構１、３と共通にしている。即ち、反対から言えば、マニュアルタイプのスイッチ機構１、３において、オートコントロールタイプのスイッチ機構２の機構を採用している。これにより、スイッチ機構１、２、３を構成する部品の製造工程も共通化されて、製造コストの削減を図ることができる。以下、スイッチ機構２固有の配置構成のみについて説明し、スイッチ機構１、３と共通する部品並びに配置構成は同一の符号を付してその説明を省略する。
【００２１】
このスイッチ機構２は、主としてＦＡＮスイッチとして用いられるもので、スイッチ機構１、３とは異なりケーブル駆動用のものではないことから、専用の第３のギア１３を用いている。この第３のギア１３は、略軸棒状を成すもので、その一方端側には第１のギア５のギア歯５ｂと噛み合うギア歯１３ａが形成されており、このギア歯１３ａは、ギア１３の周面の全周ではなく、この実施形態では半周にわたって形成されている。そして、第３のギア１３は、ケース１６に形成された孔２２及びこの孔２２の周縁から立設した筒状の突起部２３内に収容可能な外径寸法を有する。なお、スライド部品８の表示部品８ａには、送風能力切替に関する表示が図１に示すように記載されている。
【００２２】
しかるに、上記の構成によれば、スイッチ機構１、２、３は、例えば以下の手順で組み付けられる。すなわち、予め表示部材８ａと基部部材８ｂとを組み合わせて成るスライド部材８をダイヤル部材４内に装着した状態とした後、第１のギア５を、ダイヤル部材４に突起部５ａが孔４ｂに嵌合するまで外挿する。これにより、ダイヤル部品４と第１のギア５とは一体に回動する一方で、スライド部材８がダイヤル部品４及び第１のギア５により画成された中空室内を軸方向に沿って一定幅でスライド動することができる。
【００２３】
次に、スイッチ機構１、３では、中継部品７をケース１６の孔２１に回動可能に挿通すると共に、第１のギア６を他の部品４、８と組み付けられた状態で、突起部１９に回動可能に外挿する。これにより、第１のギア５のギア歯５ａと中継部品７のギア７ａとが噛み合った状態で、ダイヤル部品４、スライド部品８、第１のギア５の組付体と中継部品７とはケース１６に装着される。このように装着された状態において、中継部品７は、第１のギア５及びダイヤル部品４に対しその外周側にオフセットされた位置にある。
【００２４】
これに対し、スイッチ機構２は、第３のギア１３をケース１６の突起部２２の開口部に回動可能に挿通すると共に、第１のギア６を他の部品４、８と組み付けられた状態で、突起部１９に回動可能に外挿する。これにより、第１のギア５のギア歯５ａと第３のギア１３のギア歯１３ａとが噛み合った状態で、ダイヤル部品４、スライド部品８、第１のギア５の組付体と第３のギア１３とはケース１６に装着される。このように装着された状態において、第３のギア１３は、ダイヤル部品４の回転中心に対しその径方向にオフセットされた位置にあるので、第３のギア１３の中心軸１３ｂをＦＡＮスイッチとして利用可能である。
【００２５】
最後に、第２のギア６の回転軸部６ｂをケース１６の孔１７にスライド部品８等とは反対側から回転可能に挿通させ、第２のギア６の円弧面側に、一方が吹出モード切換ドアやエアミックスドアと結線されたワイヤー２０を連結すると共に、パネル１５を、各孔１５ａがダイヤル部品４に外挿するようにしてケース１６と嵌合し、ネジ止めなどで固定し、更に、ケース１６の第２のギア６側にスイッチ部１０を有する基板９を配置する。
【００２６】
以上により、スイッチ機構１、３によれば、ケーブル駆動式のマニュアルタイプであっても、ダイヤル部品４を用い、しかも、このダイヤル部品４に第１のギア５を外嵌させることで、ダイヤル部品４及び第１のギア５に対し外周側にオフセットされた中継部材７を用いることで、ダイヤル部品４の内部にプッシュスイッチの機構をなすスライド部品８を組み込むことができる。
【００２７】
このため、スライド式又はつまみ型のスイッチ機構に比べて、どの角度からでも楽にダイヤル部品４を回転させることができ、ドライバーにとって操作性の向上を図ることができる。また、スライド式又はつまみ型のスイッチ機構とは異なり、周辺にプッシュスイッチを追加する必要がなく、よってスイッチをバラバラに配置する必要性もなくる、しかも、１つのスイッチ機構１又は３に対し、空調機器のＯＮ／ＯＦＦ機能やインジケータの配置等によって、機能を集中させることも可能となる。更には、中継部材７の回転軸を第１のギア５に対し外接させるオフセットすることができるので、スイッチ機構１、３の小型化も図ることができる。
【００２８】
尚、図９に示されるように、スライド部品８は、空洞部２４を有することから、必要に応じてリードランプ２５（この実施形態では発光ダイオード）が配置されており、表示部材８ａに表示部２６を設けることで、スイッチの投入状態を示したり、夜間のライト点灯時にスイッチの場所を示す示すように点灯させても良いものである。
【図面の簡単な説明】
【００２９】
【図１】図１は、空調の操作装置の一部についてパネル側から見た状態を示す説明図である。
【図２】図２（ａ）は、空調の操作装置の一部について側方から見た状態を示す一部透視図であり、図２（ｂ）は、空調の操作装置の一部についてケース側から見た状態を示す説明図である。
【図３】図３は、空調の操作装置の分解斜視図である。
【図４】図４は、この発明に係るスイッチ機構の構成を示す側面図である。
【図５】図５は、この発明のスイッチ機構の構成を示す断面図である。
【図６】図６は、この発明のスイッチ機構の特にスライド部品の構成を示す断面図である。
【図７】図７は、この発明のスイッチ機構の構成を示す一部透視斜視図である。
【図８】図８は、オートコントロールタイプでＦＡＮスイッチとして用いられるスイッチ機構の構成を示す一部透視斜視図である。
【図９】図９は、この発明に係るスライド部品の内部にリードランプを収納した状態を示すスイッチ機構の断面図である。
【符号の説明】
【００３０】
１  スイッチ機構
３  スイッチ機構
４  ダイヤル部品
４ａ  ギア歯
５  第１のギア
５ａ  ギア歯
６  第２のギア
６ａ  ギア歯
７  中継部品
７ａ  ギア
７ｂ  ギア
８  スライド部品
８ａ  表示部品
８ｂ  基部部品
９  基板
１０  スイッチ部
１１  プッシュ部
１５  パネル
１６  ケース
２０  ワイヤー
２４  空洞部
２５  リードランプ
２６  表示部
【図１】
2005190733.tif 000003
【図２】
2005190733.tif 000004
【図３】
2005190733.tif 000005
【図４】
2005190733.tif 000006
【図５】
2005190733.tif 000007
【図６】
2005190733.tif 000008
【図７】
2005190733.tif 000009
【図８】
2005190733.tif 000010
【図９】
2005190733.tif 000011